(57)【要約】【課題】簡易な構成で、飲料水の塩素濃度を随時一定の値に保つことができる塩素発生装置を提供すること。【解決手段】飲料水の注水口から給水口までの間を接続する給水管を有し、この給水管の途中に飲料水を一時蓄積する蓄積槽を設け、この蓄積槽内に設けられた塩素発生用電極に電圧を印加させて塩素を発生させ、一時蓄積された飲料水に対して塩素を溶解させ、この塩素が溶解された飲料水を給水口から給水する塩素発生装置において、前記塩素発生用電極に電圧を印加するオン状態と電圧を印加しないオフ状態とを交互に繰り返し行うことにより塩素発生量を均一な濃度に制御する制御手段を備えている。【選択図】      図１
2004209426.tif 000002
【特許請求の範囲】
【請求項１】
飲料水の注水口から給水口までの間を接続する給水管を有し、この給水管の途中に飲料水を一時蓄積する蓄積槽を設け、この蓄積槽内に設けられた塩素発生用電極に電圧を印加させて塩素を発生させ、一時蓄積された飲料水に対して塩素を溶解させ、この塩素が溶解された飲料水を給水口から給水する塩素発生装置において、
前記塩素発生用電極に電圧を印加するオン状態と電圧を印加しないオフ状態とを交互に繰り返し行うことにより塩素発生量を均一な濃度に制御する制御手段を備えたことを特徴とする塩素発生装置。
【請求項２】
前記制御手段は、前記オン状態および前記オフ状態を計時するタイマを備え、該タイマによる計時の繰り返しによって前記オン状態と前記オフ状態の時間比が設定されることを特徴とする請求項１に記載の塩素発生装置。
【請求項３】
前記制御手段は、ＰＷＭコントローラを備え、該ＰＷＭコントローラのデューティ比によって前記オン状態と前記オフ状態との時間比が設定されることを特徴とする請求項１に記載の塩素発生装置。
【請求項４】
前記制御手段は、前記飲料水を給水する所定時間を計時する給水タイマを備え、該給水タイマが計時する所定時間、前記飲料水を給水口から給水することを特徴とする請求項１〜３のいずれか一つに記載の塩素発生装置。
【請求項５】
オン状態を維持している時に飲料水の供給を指示するスイッチをさらに備え、
前記制御手段は、前記給水スイッチがオン状態の時に、単位時間当たりのオン状態とオフ状態との時間比を制御し、単位時間当たりの塩素発生量を継続的に制御することを特徴とする請求項１〜４のいずれか一つに記載の塩素発生装置。
【発明の詳細な説明】
【０００１】
【発明の属する技術分野】
本発明は、電気分解法により飲料水中に塩素を発生させ、塩素を飲料水中に溶解させる塩素発生装置に関し、自動式飲料水用ディスペンサの密閉型塩素発生器に適し、電気分解にかかる電極に通電する印加電圧を制御することにより、給水中の飲料水が含有する塩素濃度を一定に保つ塩素発生装置に関するものである。
【０００２】
【従来の技術】
飲用水、例えば、水道水には含有イオンとして塩素イオンが含まれている。このため、水道水を電気分解すると、塩素が発生し、発生した塩素が再び水に溶けて僅かな濃度であるが殺菌作用を有する次亜塩素酸が生成される。このような電気分解を利用し、飲料水に含有される塩素の塩素発生装置として、種々のものが提案されている（例えば、特許文献１〜３参照。）。
【０００３】
【特許文献１】
特開２００１−２２９４５０号公報（第２−３頁、図１）
【特許文献２】
特開平９−１１４９号公報（第２−３頁、図１）
【特許文献３】
特開２０００−２１０６６５号公報（第３−５頁、図１）
【０００４】
図６は、従来の塩素発生装置２０の構成を示すブロック図である。塩素発生装置２０は、飲料水の給水量の制御や塩素発生量の制御を行う制御部２と、飲料水の注水と給水とを夫々行う注水バルブＢ１と給水バルブＢ２とを備えた給水管８と、飲料水を一時的に蓄積して電気分解法により塩素を飲料水中に溶解させる塩素発生器９とを有している。
【０００５】
制御部２は、注水バルブＢ１と給水バルブＢ２の開閉信号制御を行うバルブ開閉信号制御部３と、統括的な信号を制御する信号制御部４と、時間を計測するタイマ６と、塩素発生器９内の電極に印加する電圧を制御する電圧発生制御部７とを有している。
【０００６】
まず、飲料水需要者がスイッチＳＷを動作させると、スイッチＳＷからトリガー信号Ｓ１ｃが信号制御部４に出力される。出力されたトリガー信号Ｓ１ｃは、信号制御部４からバルブ開閉信号制御部３に出力される。バルブ開閉信号制御部３は、トリガー信号Ｓ１ｃに基づいて、注水バルブＢ１の「開」信号Ｓ２ａと、と給水バルブＢ２の「開」信号Ｓ２ｂとを所定時間出力する。このとき、時間の計測はタイマ６が実行する。同時に、電圧発生制御部７から、塩素発生器９内の塩素発生用電極に対して制御信号Ｓ３が出力され、塩素発生用電極への通電が開始する。
【０００７】
上述の動作により、注水バルブＢ１と給水バルブＢ２とが開かれ、同時に、塩素発生器９においては、塩素が発生し始め、飲料水中に塩素が溶解して塩素を含有する飲料水が給水口へと流出してゆく。
【０００８】
そして、スイッチＳＷがオンされてから５秒が経過すると、電圧発生制御部７から、新たな制御信号Ｓ３が出力され、塩素発生器９内の塩素発生用電極に対する通電が停止される。
【０００９】
さらに、スイッチＳＷがオンされてから１０秒が経過すると、バルブ開閉信号制御部３から注水バルブＢ１と給水バルブＢ２とに出力されていた「開」信号Ｓ２ａ，Ｓ２ｂが停止し、塩素発生器９への飲料水の注水と、給水が停止される。
【００１０】
図７は塩素発生装置２０にかかるスイッチＳＷにおける各種信号，電圧値並びに塩素発生用電極で発生する塩素量，給水口における飲料水中の塩素濃度を示すタイムチャートである。需要者がスイッチＳＷを動作させてから飲料水の給水動作が終了するまでを、図７に示すタイムチャートを参照して以下に説明する。
【００１１】
まず、時刻ｔ１において、需要者がスイッチＳＷを動作させると、スイッチＳＷからトリガー信号Ｓ１ｃ（図７（ａ））が信号制御部４に出力され、これによりバルブ開閉信号制御部３に注水バルブＢ１と給水バルブＢ２の「開」信号Ｓ２ａ，Ｓ２ｂ（図７（ｂ），（ｃ））が出力される。
【００１２】
これと並行して、電圧発生制御部７から塩素発生器９内の塩素発生用電極に制御信号Ｓ３が出力され、塩素発生用電極に電圧Ｖ１（図７（ｄ））が通電される。これにより、塩素発生用電極からは通電された電圧Ｖ１に比例した塩素量Ｒ１が発生するが、電気分解法による塩素発生機構では、電極に電圧が印加されてから、塩素が所定量発生するまでに、立ち上がり時間を要する。そのため、時刻ｔ１から僅かな時間経過後の時刻ｔ２になって所定の塩素量Ｒ１（図７（ｅ））が発生するようになる。
【００１３】
このとき、塩素発生用電極から発生した塩素は飲料水中に溶解し、塩素濃度を増加させるが、塩素が飲料水中に拡散するにはある程度の時間を要する。このため、給水口における飲料水は、塩素の発生量がＲ１になる時刻ｔ２よりも僅かな時間経過後の時刻ｔ３になって塩素濃度が一定値Ｍ１（図７（ｆ））になる。
【００１４】
このとき、従来の塩素発生装置２０では、予め、注水バルブＢ１や給水バルブＢ２の「開」信号Ｓ２ａ，Ｓ２ｂの出力時間（ｔ１〜ｔ７）と塩素発生用電極に対する通電時間（ｔ１〜ｔ４）の割合を決めることで、飲料水給水後の平均の塩素濃度が規定値Ｍ２になるように設定していた。このため、塩素発生装置２０では、塩素発生用電極に対する制御信号Ｓ３の電圧値Ｖ１は、塩素濃度が規定値Ｍ２以上の値Ｍ１になるように設定されていた（図７（ｆ））。
【００１５】
従って、塩素発生装置２０では、飲料水の給水時間（ｔ１〜ｔ７）を１０秒と設定し、通電時間（ｔ１〜ｔ４）を５秒と設定した場合、塩素の発生量Ｒ１の値は概ね塩素の発生量Ｒ２の２倍の値に設定していた。
【００１６】
上述したように、設定された通電時間（ｔ１〜ｔ４＝５秒）が経過し、時刻ｔ４になると塩素発生用電極に対する制御信号Ｓ３の電圧値はゼロになる（図７（ｄ））。但し、電気分解法の機構に起因して、塩素発生用電極からの塩素発生量は、制御信号Ｓ３の電圧値がゼロになった時刻ｔ４より少し後の時刻ｔ５になりゼロになる（図７（ｅ））。また、飲料水中の塩素濃度値も、時刻ｔ５より少し後の時刻ｔ６になりゼロになる。
【００１７】
そして、トリガー信号Ｓ１ｃ（図７（ａ））がオンしてから、予め設定された飲料水の給水時間（ｔ１〜ｔ７＝１０秒）が経過し、時刻ｔ７になると、注水バルブＢ１と給水バルブＢ２とに出力されていた「開」信号Ｓ２ａ，Ｓ２ｂがオフされ（図７（ｂ），（ｃ））、飲料水の給水が終了する。
【００１８】
【発明が解決しようとする課題】
従来の塩素発生装置では、予め飲料水の給水時間と塩素発生用電極に印加する通電時間の割合を予め決めておき、最終的に給水される飲料水中の平均の塩素濃度を規定値Ｍ２にするというものであった。
【００１９】
そのため、飲料水中の塩素濃度を飲料水の給水時間の経過と共に観測すると、塩素発生用電極に対して、通電中は、塩素濃度が規定値Ｍ２以上になる電圧値Ｖ１が印加され、塩素濃度が規定値Ｍ２以上の値Ｍ１の飲料水が給水され、電圧値がゼロとなった後は塩素濃度が規定値Ｍ２以下の飲料水が給水されていた。
【００２０】
つまり、給水中の飲料水中の塩素濃度は時間と共に変化し、飲料水が給水された直後に需要者が飲むと、塩素が攪拌されきれず、飲料水中に塩素濃度の濃淡が存在し、高い塩素濃度部分では、飲料水の味や風味を損なうという問題があった。
【００２１】
また、給水時間中に飲料水を受ける容器を取り替えるようなことが起きた場合、塩素濃度が大きく異なる飲料水が存在することになり、飲料水の均質性が損われる等の問題があった。
【００２２】
また、飲料水の給水時間と塩素発生用電極に対する通電時間の割合を予め決めておく方法では、需要者が飲料水の給水時間を任意に変更できず、需要者の要求に応じて飲料水を供給できず、汎用性に欠けるという問題点があった。
【００２３】
なお、特許文献１〜３では、上述した問題点に対処する対策を取っているが、何れも、高機能の装置を付加させる必要があり、装置の大型化や高コスト化が避けられないという問題点があった。
【００２４】
本発明は上記に鑑みてなされたものであって、簡易な構成で、飲料水の塩素濃度を随時一定の値に保つことができる塩素発生装置を提供することを目的とする。
【００２５】
【課題を解決するための手段】
上記目的を達成するために、請求項１にかかる塩素発生装置は、飲料水の注水口から給水口までの間を接続する給水管を有し、この給水管の途中に飲料水を一時蓄積する蓄積槽を設け、この蓄積槽内に設けられた塩素発生用電極に電圧を印加させて塩素を発生させ、一時蓄積された飲料水に対して塩素を溶解させ、この塩素が溶解された飲料水を給水口から給水する塩素発生装置において、前記塩素発生用電極に電圧を印加するオン状態と電圧を印加しないオフ状態とを交互に繰り返し行うことにより塩素発生量を均一な濃度に制御する制御手段を備えたことを特徴とする。
【００２６】
また、請求項２にかかる塩素発生装置は、上記の発明において、前記制御手段は、前記オン状態および前記オフ状態を、たとえば数秒単位で計時するタイマを備え、該タイマによる計時の繰り返しによって前記オン状態と前記オフ状態の時間比が設定されることを特徴とする。
【００２７】
また、請求項３にかかる塩素発生装置は、上記の発明において、前記制御手段は、ＰＷＭコントローラを備え、該ＰＷＭコントローラのデューティ比によって前記オン状態と前記オフ状態との時間比が、たとえばｍｓｅｃ単位で設定されることを特徴とする。
【００２８】
また、請求項４にかかる塩素発生装置は、上記の発明において、前記制御手段は、前記飲料水を給水する所定時間を計時する給水タイマを備え、該給水タイマが計時する所定時間、前記飲料水を給水口から給水することを特徴とする。
【００２９】
また、請求項５にかかる塩素発生装置は、上記の発明において、オン状態を維持している時に飲料水の供給を指示するスイッチをさらに備え、前記制御手段は、前記給水スイッチがオン状態の時に、単位時間当たりのオン状態とオフ状態との時間比を制御し、単位時間当たりの塩素発生量を継続的に制御することを特徴とする。
【００３０】
【発明の実施の形態】
（実施の形態１）
本発明にかかる塩素発生装置１の実施の形態を、図面を参照して説明する。図１は、本発明の実施の形態１にかかる塩素発生装置１の構成を示すブロック図である。塩素発生装置１は、飲料水の給水量の制御や塩素発生量の制御を行う制御部２と、飲料水の注水と給水を夫々行う注水バルブＢ１と給水バルブＢ２を備えた給水管９と、飲料水を一時的に蓄積して電気分解法により塩素を飲料水中に溶解させる塩素発生器９とを有している。
【００３１】
制御部２は、注水バルブＢ１と給水バルブＢ２の開閉信号制御を行うバルブ開閉信号制御部３と、統括的な信号を制御する信号制御部４と、塩素発生器９内の塩素発生用電極に印加する方形波電圧を制御する方形波発生制御部５と、給水の時間経過を計測するタイマ６を有している。また、方形波発生制御部５は、方形波電圧を印加するオン時間と方形波電圧を印加しないオフ時間とを計時するタイマ５ａを有する。なお、タイマ５ａは、オン時間と、オン時間およびオフ時間の合計時間とを計時するようにしてもよい。
【００３２】
まず、飲料水需要者がスイッチＳＷを動作させると、スイッチＳＷからトリガー信号Ｓ１ａが信号制御部４に出力される。出力されたトリガー信号Ｓ１ａは、信号制御部４からバルブ開閉信号制御部３に出力される。バルブ開閉信号制御部３は、トリガー信号Ｓ１ａに基づいて注水バルブＢ１の「開」信号Ｓ２ａと、給水バルブＢ２の「開」信号Ｓ２ｂとを所定時間出力する。このとき。時間の計測はタイマ６が実行する。同時に、方形波発生制御部５から、塩素発生器９内の塩素発生用電極に対して制御信号Ｓ３が出力され、塩素発生用電極への通電が開始する。
【００３３】
上述の動作により、注水バルブＢ１と給水バルブＢ２とが開かれ、同時に塩素発生器９においては、塩素が発生し始め、飲料水中に塩素が溶解して塩素を含有する飲料水が給水口へと流出してゆく。
【００３４】
ここで、塩素発生器９内の塩素発生用電極に対し、方形波発生制御部５は、タイマ５ａによって設定されたオン時間とオフ時間とが一定の割合で繰り返す方形波制御が行われている。
【００３５】
方形波制御とは、塩素発生用電極に印加するときの電圧を一定とし、電圧印加のオン／オフを交互に繰り返すことによる制御法である。従来法では、印加電圧値に比例して塩素が発生していたが、方形波制御では電圧を印加した時間に比例して塩素が発生する。
【００３６】
そのため、方形波制御は、飲料水の給水が開始されてから停止するまで継続的に行われるため、絶えず一定の濃度の塩素を飲料水に含有させることが可能となる。
【００３７】
そして、スイッチがオンされてから１０秒が経過すると、バルブ開閉信号制御部３から注水バルブＢ１と給水バルブＢ２とに出力されていた「開」信号Ｓ２ａ，Ｓ２ｂが停止し、塩素発生器９への飲料水の注水と、給水が停止される。
【００３８】
また同時に、方形波発生制御部５から、新たな制御信号Ｓ３が出力され、塩素発生器９内の塩素発生用電極に対する通電が停止される。
【００３９】
図２は、塩素発生装置１にかかるスイッチＳＷにおける各種信号、電圧値並びに塩素発生用電極で発生する塩素量、給水口における飲料水中の塩素濃度を示すタイムチャートである。需要者がスイッチＳＷを動作させてから飲料水の給水動作が終了するまでを、図２に示すタイムチャートを参照して以下に説明する。
【００４０】
まず、時刻ｔ１において、需要者がスイッチＳＷを動作させると、スイッチＳＷからトリガー信号Ｓ１ａ（図２（ａ））が信号制御部４に出力され、これによりバルブ開閉信号制御部３に注水バルブＢ１と給水バルブＢ２の「開」信号Ｓ２ａ，Ｓ２ｂ（図２（ｂ），（ｃ））が出力される。
【００４１】
これと平行して、方形波発生制御部５から塩素発生器９内の塩素発生用電極に制御信号Ｓ３が出力され、塩素発生用電極にオン／オフが繰り返される方形波電圧が印加される（図２（ｄ））。このとき、例えば、オン時間を０．７５秒、オフ時間を０．２５秒、飲料水の給水時間を１０秒とすると、電極には１０回のオンとオフが繰り返されることになる。
【００４２】
一般に、オン時間とオフ時間の割合決め、オン時間とオフ時間の和をＴ２とし、オン時間をＴ１とし、デユーティ比（Ｔ１／Ｔ２）（図３参照））を用いたデユーティ比制御によれば、単位時間当たりのＴ１とＴ２を変化させれば、所望の塩素発生量を一定に維持することが可能となる。
【００４３】
このとき、塩素発生用電極からは通電された時間に比例した塩素量が発生するが、電気分解法による塩素発生機構では、電極に電圧が印加されてから、塩素が所定量発生するまでに、立ち上がり時間を要する。そのため、時刻ｔ１から僅かな時間経過後の時刻ｔ２になって所定の塩素量Ｒ２（図２（ｅ））が発生するようになる。
【００４４】
また、塩素発生用電極から発生した塩素は飲料水中に溶解し、塩素濃度を増加させるが、塩素が飲料水中に拡散するにはある程度の時間を要する。このため、給水口における飲料水は、塩素の発生量がＲ２になる時刻ｔ２より僅かな時間経過後の時刻ｔ３になって塩素濃度が一定値Ｍ２（図２（ｆ））になる。
【００４５】
その後、一定値Ｍ２の塩素濃度を保った飲料水の給水が続行される。そして、トリガー信号Ｓ１ａ（図２（ａ））が出力されてから、予め設定された飲料水の給水時間（ｔ１〜ｔ７＝１０秒）が経過し、時刻ｔ７になると、注水バルブＢ１と給水バルブＢ２とに出力されていた「開」信号Ｓ２ａ，Ｓ２ｂがオフされ（図２（ｂ），（ｃ））、飲料水の給水が終了する。
【００４６】
同時に、方形波発生制御部５から塩素発生用電極に対して新たな制御信号Ｓ３が出力されて方形波電圧の印加が停止され（図２（ｄ））、飲料水中の塩素濃度もゼロとなる（図２（ｆ））。
【００４７】
この実施の形態１では、タイマ５ａを用いてオン／オフ時間の設定を行っているので、簡易な構成によって塩素濃度の均一化を図ることができる。特に、塩素の発生は、電圧の印加とともにリアルタイムで発生する訳ではないので、現実的には、秒単位のオン／オフ制御を行えばよい。
【００４８】
もちろん、本発明の実施の形態１で述べた、デユーティ比における時間Ｔ１，Ｔ２をタイマ５ａによって一層小さく設定すれば、規定の塩素濃度Ｍ２になるまでの時間差を小さくでき、また、飲料水の給水時間の設定を変化させても方形波のオン時間Ｔ１の間隔が短くなるので、オン時間Ｔ１の途中で、デユーティ比制御が停止する可能性が低くなり、安定的な制御ができ、より均一な塩素濃度の飲料水が供給できることになる。
【００４９】
したがって、給水時間が既知である場合、制御部２は、給水時間が、オン時間とオフ時間との合計時間によって割り切れるディーティサイクル時間に設定することが好ましい。
【００５０】
（実施の形態２）
図４は、本発明の実施の形態２にかかる塩素発生装置１の構成を示すブロック図である。図５は本発明の実施の形態２にかかる塩素発生装置１のスイッチＳＷにおける各種信号、電圧値並びに塩素発生用電極で発生する塩素量、給水口における飲料水中の塩素濃度を示すタイムチャートである。
【００５１】
実施の形態２の塩素発生装置１は、タイマ５ａに代えてＰＷＭコントローラ５ｂを有し、さらにタイマ６が除かれた構成となっている。その他の構成は、実施の形態１の塩素発生装置１と構成が同一であり、同一構成部分には同一の符号を付している。
【００５２】
まず、飲料水需要者が時刻ｔａにスイッチＳＷを動作させ、飲料水の供給信号Ｓ１ｂを出力させる（図５（ａ））。
【００５３】
供給信号Ｓ１ｂが時刻ｔａに出力されると、バルブ「開」信号Ｓ２ａ，Ｓ２ｂ（図５（ｂ），（ｃ））が同期してオンされる。同時に、方形波発生制御部５のＰＷＭコントローラ５ｂから、塩素発生用電極に対する制御信号Ｓ３が出力され、塩素発生のデユーティ比制御が開始される。
【００５４】
実施の形態１で述べたように、デユーティ比制御を行うと、飲料水の給水時間間隔を自由に変更することができる。
【００５５】
この実施の形態２では、ＰＷＭコントローラ５ｂによってデューティ制御が行われるので、ｍｓｅｃオーダあるいはそれ以下の短いディーティサイクル時間の制御が可能となる。たとえば、デューティ比を０．７５、オン時間Ｔ１＝０．７５ｍｓｅｃ、飲料水の抽出時間を１０秒とした場合、塩素発生用電極は１０，０００回のオン／オフが繰り返される。
【００５６】
上述したように、小刻みにオン時間とオフ時間とを繰り返すことにより、短時間に塩素発生用電極から発生する塩素量を所定値Ｒ２（図５（ｅ））に増加させ、かつ、所定値Ｒ２を維持する効果が得られる。従って、抽出中の飲料水の塩素濃度を、所定の塩素濃度値Ｍ２（図５（ｆ））に、短時間の内に増加させ、かつ維持できるという効果が得られる。
【００５７】
上述した動作状態が時刻ｔｂまで継続される。時刻ｔｂは飲料水需要者が任意に決めた時刻である。時刻ｔｂまではデユーティ比制御が継続されるが、オン時間Ｔ１が短いため、時刻ｔｂの直前まで、制御が継続されることになる。すなわち、上述した実施の形態１で説明したように、給水時間が、オン時間とオフ時間との合計時間で割り切れるようなディーティサイクル時間に設定する必要もない。
【００５８】
時刻ｔｂになると、飲料水の給水が停止されると同時に、塩素発生用電極に対する電圧の印加が停止され、塩素の発生も停止される。上述した例では、ｔａ〜ｔｂ＝１０秒として説明したが、本発明では、ｔａ〜ｔｂ＞１０秒とすることが可能である。需要者の要求に応じて、ｔｃ〜ｔｄ＜１０秒のように、短くすることも可能であるし、逆に長くすることも可能である。
【００５９】
上記した飲料水の給水時間はスイッチＳＷを押し続けている間とすることもできるし、飲料水給水開始時と停止時に夫々スイッチＳＷを作動させるタイプのものであっても良い。
【００６０】
前記したように、デューティ比制御によれば、需要者の要求に応じて飲料水の供給量を増減でき、しかも、抽出中の塩素濃度値を所定値Ｍ２に維持できるという利点がある。そのため、飲料水の抽出を任意の時刻に終了させても、飲料水中の塩素濃度は規定値Ｍ２を保っており、抽出直後、受飲しても塩素濃度の濃淡は無く、飲料水の味、風味を損なうことは無い。
【００６１】
また、飲料水を抽出中に受容器を取り替えたとしても、容器毎に塩素濃度が異なることも無くなり、塩素濃度が均一な飲料水を供給することができる。しかも、実施の形態２の塩素発生装置１は、デューティ比制御としたことにより、実施の形態１の塩素発生装置１が用いていたタイマ６が不要になるという利点も有している。
【００６２】
【発明の効果】
以上に説明したように、本発明にかかる塩素発生装置によれば、飲料水抽出時の任意の時に飲料水中の塩素濃度を均一な規定値にできるという効果を奏する。
【００６３】
また、本発明によれば、飲料水抽出時の任意時において、規定値の塩素濃度を含有しているので、予め飲料水の抽出時間と塩素発生用電極に対する通電時間を設定する必要もなく、かつ飲料水抽出終了時間を任意に設定できるという効果を奏する。
【図面の簡単な説明】
【図１】本発明の実施の形態１にかかる塩素発生装置の構成を示すブロック図である。
【図２】本発明の実施の形態１に示した塩素発生装置にかかるスイッチＳＷにおける各種信号，電圧値並びに塩素発生用電極で発生する塩素量，給水口における飲料水中の塩素濃度を示すタイムチャートである。
【図３】デューティ比を説明する説明図である。
【図４】本発明の実施の形態２にかかる塩素発生装置の構成を示すブロック図である。
【図５】本発明の実施の形態２に示した塩素発生装置にかかるスイッチＳＷにおける各種信号，電圧値並びに塩素発生用電極で発生する塩素量，給水口における飲料水中の塩素濃度を示すタイムチャートである。
【図６】従来の塩素発生装置の構成を示すブロック図である。
【図７】従来の塩素発生装置にかかるスイッチＳＷにおける各種信号，電圧値並びに塩素発生用電極で発生する塩素量，給水口における飲料水中の塩素濃度を示すタイムチャートである。
【符号の説明】
１      塩素発生装置
２      制御部
３      バルブ開閉信号制御部
４      信号制御部
５      方形波発生制御部
５ａ    タイマ
５ｂ    ＰＷＭコントローラ
６      タイマ
７      電圧発生制御部
８      給水管
９      塩素発生器
２０    塩素発生装置
Ｂ１    給水バルブ
Ｂ２    抽出バルブ
Ｓ１ａ  トリガー信号
Ｓ１ｂ  供給信号
Ｓ１ｃ  トリガー信号
Ｓ２ａ  バルブ「開」信号
Ｓ２ｂ  バルブ「開」信号
Ｓ３    制御信号
【図１】
2004209426.tif 000003
【図２】
2004209426.tif 000004
【図３】
2004209426.tif 000005
【図４】
2004209426.tif 000006
【図５】
2004209426.tif 000007
【図６】
2004209426.tif 000008
【図７】
2004209426.tif 000009